(57)【要約】【課題】スムーズに蓋体を閉塞状態にすることができる薄葉紙収納容器を提供する。【解決手段】上面に取出口Ｃａを有し、内側に薄葉紙Ｐが積層された薄葉紙積層体Ｑを収納するケース体Ｃと、ケース体Ｃに対してスライド移動することで取出口Ｃａを開閉させる上蓋２０と、を備え、ケース体Ｃには、取出口Ｃａの縁部に固定される固定端と固定されない自由端とを有し、取出口Ｃａの上側から当該取出口Ｃａの少なくとも一部を覆う薄葉紙押さえ部１４ｂが設けられており、薄葉紙押さえ部１４ｂは、上蓋２０が閉塞状態となる方向に移動すると、当該上蓋２０に徐々に押圧され、自由端が下方向へと移動して倒伏状態となって、取出口Ｃａの少なくとも一部を覆い、上蓋２０が開放状態となる方向に移動すると、当該上蓋２０からの押圧力が徐々に解除され、自由端が上方向へと移動して起立状態となるように構成されている。【選択図】図７
2014189317.tif 000002
【特許請求の範囲】
【請求項１】
上面に取出口を有し、内側に薄葉紙が積層された薄葉紙積層体を収納するケース体と、
前記ケース体に対してスライド移動することで前記取出口を開閉させる蓋体と、を備え、
前記ケース体には、前記取出口の縁部に固定される固定端と固定されない自由端とを有し、前記取出口の上側から当該取出口の少なくとも一部を覆う薄葉紙押さえ部が設けられており、
前記薄葉紙押さえ部は、
前記蓋体が閉塞状態となる方向に移動すると、当該蓋体に徐々に押圧され、前記自由端が下方向へと移動して倒伏状態となって、前記取出口の少なくとも一部を覆い、
前記蓋体が開放状態となる方向に移動すると、当該蓋体からの押圧力が徐々に解除され、前記自由端が上方向へと移動して起立状態となることを特徴とする薄葉紙収納容器。
【請求項２】
前記蓋体には、前記薄葉紙押さえ部の前記倒伏状態において当該薄葉紙押さえ部の前記自由端側を前記取出口内へと押し込む突起が設けられていることを特徴とする請求項１に記載の薄葉紙収納容器。
【請求項３】
前記薄葉紙押さえ部は、前記倒伏状態において前記自由端が前記取出口を越えた位置に達することを特徴とする請求項１又は２に記載の薄葉紙収納容器。
【請求項４】
前記薄葉紙押さえ部は、
前記取出口の前記縁部から延出し、前記固定端を有する第１延出部と、
前記第１延出部の前記固定端とは反対側の端部から、当該第１延出部の延出方向よりも前記ケース体の内側に向けて延出する第２延出部と、を備えることを特徴とする請求項１又は２に記載の薄葉紙収納容器。
【発明の詳細な説明】
【技術分野】
【０００１】
本発明は、薄葉紙を収納する薄葉紙収納容器に関する。
【背景技術】
【０００２】
従来、家屋の床やトイレ、或いは人体などを拭くための薄葉紙を収納する薄葉紙収納容器が知られている。
このような薄葉紙収納容器としては、例えば、内側に積層薄紙を収容する収容空間とこの積層薄紙の取出口とが備わった容器本体と、取出口を閉塞並びに解放するための開閉蓋とが備わり、開閉蓋が容器本体の上壁にほぼ沿って平行にスライド出来るように装着されているとともに、開閉蓋による取出口の閉塞姿勢を保持するロック機構が、開閉蓋の辺縁上面を押圧することでロック解除可能に構成されているスライド式開閉蓋を有する収納容器や（特許文献１，２参照）、湿潤シートを収納する容器本体と、この容器本体又は容器本体の着脱部材に形成された湿潤シートの取出口と、この取出口を開閉する容器本体又は着脱部材にヒンジを介し連結された開閉蓋とを具備し、取出口には、湿潤シートが取出口から引き出される際に摺接するガイド縁が形成され、取出口は容器本体又は着脱部材に取り付けられた軟質覆板で覆われ、この軟質覆板にガイド縁の周辺に接離可能に被さる舌片が形成され、湿潤シートがガイド縁に摺接しつつ取出口外に引き出される際に、この舌片が弾性変形して湿潤シートの通過を許容するようにした保湿容器（特許文献３参照）などが知られている。
【先行技術文献】
【特許文献】
【０００３】
【特許文献１】特開２０１２−９１８３４号公報
【特許文献２】特開２０１２−９１８３５号公報
【特許文献３】特開２００８−１００７４７号公報
【発明の概要】
【発明が解決しようとする課題】
【０００４】
しかしながら、特許文献１，２に記載の薄葉紙収納容器において、取出口と、係止手段（ロック機構）を構成する爪部及び爪受部（係止突起及び係合凹部）とは、蓋体（開閉蓋）のスライド移動の方向に重なるように配置されている。すなわち、取出口が、蓋体のスライド移動に伴う爪部や爪受部の移動の軌跡下に配置されている。そのため、取出口から突出している薄葉紙（積層薄紙）が蓋体よりも上方に飛び出ている状態で蓋体を閉めようとすると、当該薄葉紙が爪部と爪受部との間や蓋体とケース体（容器本体）との間に挟まってしまい、スムーズに蓋体を閉塞状態にすることができない。
また、特許文献３に記載の薄葉紙収納容器においては、舌片が形成された軟質覆板によって取出口を覆っているので、先行する薄葉紙（湿潤シート）が引き出されると、後続する薄葉紙の先端部が舌片の先の待機位置まで引き出されて停止することとなるが、後続する薄葉紙の先端部が待機位置を越えて引き出される場合もあり得る。したがって、特許文献３の構成（取出口を舌片が形成された軟質覆板で覆う構成）を、特許文献１，２に記載の薄葉紙収納容器（スライド式開閉蓋を有する薄葉紙収納容器）に適用しても、後続する薄葉紙の先端部が待機位置を越えて停止した場合には、当該薄葉紙が爪部と爪受部との間や蓋体とケース体との間に挟まってしまって、スムーズに蓋体を閉塞状態にすることができない。
【０００５】
本発明の課題は、スムーズに蓋体を閉塞状態にすることができる薄葉紙収納容器を提供することである。
【課題を解決するための手段】
【０００６】
上記課題を解決するために、請求項１に記載の発明は、薄葉紙収納容器において、
上面に取出口を有し、内側に薄葉紙が積層された薄葉紙積層体を収納するケース体と、
前記ケース体に対してスライド移動することで前記取出口を開閉させる蓋体と、を備え、
前記ケース体には、前記取出口の縁部に固定される固定端と固定されない自由端とを有し、前記取出口の上側から当該取出口の少なくとも一部を覆う薄葉紙押さえ部が設けられており、
前記薄葉紙押さえ部は、
前記蓋体が閉塞状態となる方向に移動すると、当該蓋体に徐々に押圧され、前記自由端が下方向へと移動して倒伏状態となって、前記取出口の少なくとも一部を覆い、
前記蓋体が開放状態となる方向に移動すると、当該蓋体からの押圧力が徐々に解除され、前記自由端が上方向へと移動して起立状態となることを特徴とする。
【０００７】
請求項２に記載の発明は、請求項１に記載の薄葉紙収納容器において、
前記蓋体には、前記薄葉紙押さえ部の前記倒伏状態において当該薄葉紙押さえ部の前記自由端側を前記取出口内へと押し込む突起が設けられていることを特徴とする。
【０００８】
請求項３に記載の発明は、請求項１又は２に記載の薄葉紙収納容器において、
前記薄葉紙押さえ部は、前記倒伏状態において前記自由端が前記取出口を越えた位置に達することを特徴とする。
【０００９】
請求項４に記載の発明は、請求項１又は２に記載の薄葉紙収納容器において、
前記薄葉紙押さえ部は、
前記取出口の前記縁部から延出し、前記固定端を有する第１延出部と、
前記第１延出部の前記固定端とは反対側の端部から、当該第１延出部の延出方向よりも前記ケース体の内側に向けて延出する第２延出部と、を備えることを特徴とする。
【発明の効果】
【００１０】
本発明によれば、薄葉紙押さえ部は、蓋体が閉塞状態となる方向に移動すると、当該蓋体に徐々に押圧され、自由端が下方向へと移動して倒伏状態となって、取出口の少なくとも一部を覆うので、取出口から突出している薄葉紙が蓋体よりも上方に飛び出ている状態で蓋体を閉めても、薄葉紙押さえ部によって薄葉紙を押さえ込むことができる。したがって、当該薄葉紙が蓋体の開閉の邪魔になることがないので、スムーズに蓋体を閉塞状態にすることができる。
【図面の簡単な説明】
【００１１】
【図１】本発明の実施形態に係る薄葉紙収納容器において、（ａ）は上蓋を閉めた状態を示す斜視図、（ｂ）は上蓋を開けた状態を示す斜視図である。
【図２】本発明の実施形態に係る薄葉紙収納容器において、上蓋を閉めた状態を示す平面図である。
【図３】本発明の実施形態に係る薄葉紙収納容器において、上蓋を開けた状態を示す平面図である。
【図４】図２の薄葉紙収納容器のIV−IV線における断面図である。
【図５】図３の薄葉紙収納容器のV−V線における断面図である。
【図６】（ａ）はケース側パッキンを示す平面図、（ｂ）はケース側パッキンを示す斜視図である。
【図７】上蓋の開閉によって変化するケース側パッキンの状態を説明するための図である。
【図８】容器本体を示す平面図である。
【図９】シャーシ及び付勢部材を示す平面図である。
【図１０】上蓋を示す平面図である。
【図１１】ケース側パッキンの変形例を示す図である。
【図１２】ケース側パッキンの変形例を示す図である。
【図１３】ケース側パッキンの変形例を示す図である。
【図１４】（ａ）はケース側パッキンの変形例を示す図、（ｂ），（ｃ）は上蓋の開閉によって変化する当該ケース側パッキンの状態を説明するための図である。
【発明を実施するための形態】
【００１２】
以下、本発明の実施の形態を図面に基づいて説明する。ただし、発明の範囲は、図示例に限定されない。
なお、以下の説明では、薄葉紙収納容器の平面視長手方向を左右方向、平面視短手方向を前後方向、高さ方向を上下方向とする。
【００１３】
本実施形態に係る薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの薄葉紙Ｐを収納可能に構成されている。なお、薄葉紙収納容器１には、ティシューペーパーやキッチンペーパーやペーパータオル等のドライタイプの薄葉紙Ｐを収納しても良い。
具体的には、薄葉紙収納容器１は、例えば、図１（ａ），（ｂ）、図２から図５に示すように、上面に薄葉紙Ｐを取り出すための取出開口１１を有するとともに下面に薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出開口１１を開閉させる上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１４】
容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。薄葉紙収納容器１に収納する薄葉紙Ｐが、ウェットタイプの薄葉紙Ｐである場合は特に、金属製の付勢部材５０を用いると、薄葉紙Ｐから蒸発した薬液によって付勢部材が錆びる可能性が高くなるので、高分子材料からなる付勢部材５０を用いることが好ましい。
【００１５】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００１６】
容器本体１０の上面部１０ａには、例えば、図４、図５に示すように、下側に向けて陥没する凹部１３が設けられており、この凹部１３の底面部１３ａに取出開口１１が形成されている。なお、本実施形態では、底面部１３ａのうち左右方向（容器本体１０の平面視長手方向）中央よりも一側（本実施形態の場合、右側）にずれた位置に取出開口１１を形成したが、これに限ることはなく、例えば、底面部１３ａの左右方向略中央に取出開口１１を形成することも可能である。
取出開口１１は、容器本体１０の内部の収納空間部Ｓに収納された薄葉紙Ｐを取り出すための、平面視にて角のとれた略長方形状に形成された開口である。
【００１７】
この取出開口１１の周縁部には、例えば、図４、図５に示すように、取出口Ｃａを有する枠状のケース側パッキン１４が装着されている。
取出口Ｃａは、上蓋２０が開放状態（図１（ｂ）、図３、図５参照）となった場合に開放され、このとき薄葉紙Ｐを、取出口Ｃａを通じて一枚毎に収納空間部Ｓから外部に引き出すことができるようになっている。
また、取出口Ｃａは、上蓋２０が閉塞状態（図１（ａ）、図２、図４参照）となった場合に閉塞されるようになっている。
すなわち、本実施形態の場合、上面に取出口Ｃａを有し、内側に薄葉紙Ｐが積層された薄葉紙積層体Ｑを収納するケース体Ｃは、容器本体１０と、当該容器本体１０の上面に固定されるシャーシ３０と、当該容器本体１０の上面に装着されるケース側パッキン１４と、からなり、上蓋２０は、ケース体Ｃのうちシャーシ３０に取り付けられている。
【００１８】
また、上蓋２０の下面にも、蓋側パッキン２１が取り付けられている。
蓋側パッキン２１は、上蓋２０の下面のうち、上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、収納空間部Ｓ内を気密に保つための気密手段として機能する。
これにより、薄葉紙収納容器１に収納する薄葉紙Ｐが、本実施形態のようにウェットタイプの薄葉紙Ｐである場合には、薄葉紙Ｐに含浸した薬液の蒸発を防止できるようになっている。
【００１９】
なお、本実施形態では、ケース側パッキン１４及び蓋側パッキン２１を、シリコンゴム等のゴムや、スチレン系、オレフィン系、塩化ビニル系、ポリエステル系、ポリウレタン系、ナイロン系のエラストマー等の熱可塑性エラストマーなどの軟質材料で形成したが、これに限ることはない。ケース側パッキン１４及び蓋側パッキン２１は、例えば、ＰＥ（Polyethylene）やＰＰ（Polypropylene）などの硬質材料で形成しても良い。また、ケース側パッキン１４及び蓋側パッキン２１を、同じ材料で形成しても良いし、異なる材料で形成しても良い。また、ケース側パッキン１４及び蓋側パッキン２１は、薄葉紙収納容器１に収納する薄葉紙Ｐがウェットタイプである場合は特に、薬液耐性のある材料で形成されることが好ましい。
【００２０】
ここで、収納空間部Ｓに収納されている薄葉紙積層体Ｑは、例えば、複数枚の薄葉紙Ｐが積層された詰替え用の薄葉紙積層体であって、ケース体Ｃに形成された取出口Ｃａから薄葉紙Ｐを継続して取り出せるように交互に折り重ねられた状態で積層されている。すなわち、薄葉紙Ｐは、薄葉紙Ｐを取出口Ｃａからケース体Ｃの外側へ引き出したときに、次の薄葉紙Ｐの上端が取出口Ｃａよりも突出する位置まで収納空間部Ｓから引き出されるように、いわゆるポップアップ方式で折り重ねられている。
なお、薄葉紙積層体Ｑは、本実施形態のように包装体Ｔによって内包されていても良いし、包装体Ｔによって内包されていなくても良い。特に、薄葉紙収納容器１に収納する薄葉紙Ｐが、本実施形態のようにウェットタイプの薄葉紙Ｐである場合には、薄葉紙積層体Ｑは防湿性の包装体Ｔによって内包されていることが好ましい。
【００２１】
ケース側パッキン１４の下端部のうち左側部分には、例えば、図４、図５、図６（ａ），（ｂ）に示すように、内側に向けて、すなわち取出口Ｃａを塞ぐ方向側に向けて延出する延出部１４ａが設けられている。これにより、薄葉紙Ｐを一枚ずつ引き出しやすくなっている。
また、ケース側パッキン１４には、例えば、図４、図５、図６（ａ），（ｂ）に示すように、取出口Ｃａの縁部に固定される固定端と固定されない自由端とを有し、取出口Ｃａの上側から当該取出口Ｃａの少なくとも一部を覆う薄葉紙押さえ部１４ｂが設けられている。
【００２２】
薄葉紙押さえ部１４ｂは、取出口Ｃａの縁部（本実施形態の場合、左縁部）に固定されており、取出口Ｃａを開放する起立状態（図７（ａ）参照）と、取出口Ｃａの少なくとも一部を覆う倒伏状態（図７（ｂ），（ｃ）参照）と、に変換可能となっている。具体的には、薄葉紙押さえ部１４ｂは、上蓋２０の開放状態において起立状態となり、少なくとも上蓋２０の閉塞状態において倒伏状態となる。
したがって、ケース側パッキン１４（薄葉紙押さえ部１４ｂを含む）は、薄葉紙押さえ部１４ｂが起立状態から倒伏状態へと弾性変形可能な軟質材料で形成されている。
なお、本実施形態では、薄葉紙押さえ部１４ｂを、ケース側パッキン１４本体に一体的に設けたが、薄葉紙押さえ部１４ｂは、ケース側パッキン１４本体と別体であってもよい。薄葉紙押さえ部１４ｂがケース側パッキン１４本体と別体である場合、薄葉紙押さえ部１４ｂは、例えば、当該薄葉紙押さえ部１４ｂを起立状態となる方向に付勢する付勢部材（ねじりコイルばね等）を介してケース側パッキン１４本体に接続されている。
【００２３】
また、上蓋２０には、例えば、図４、図５に示すように、上蓋２０の下面から突出する突起２９が設けられている。
この突起２９は、上蓋２０の下面のうち、上蓋２０の閉塞状態において薄葉紙押さえ部１４ｂ（倒伏状態の薄葉紙押さえ部１４ｂ）の少なくとも一部に対応する位置に設けられており、上蓋２０が閉塞状態となった場合（図４参照）に、倒伏状態の薄葉紙押さえ部１４ｂを上側から押圧して、当該倒伏状態を維持する役割を果たす。上蓋２０の閉塞状態において薄葉紙押さえ部１４ｂが倒伏状態から起立状態に戻ると、上蓋２０を開放する際に、薄葉紙押さえ部１４ｂが蓋側パッキン２１に引っ掛かってしまって、薄葉紙押さえ部１４ｂが上蓋２０開放の邪魔になる場合がある。これに対し、突起２９を設けることで、上蓋２０の閉塞状態において薄葉紙押さえ部１４ｂの倒伏状態を維持できるので、薄葉紙押さえ部１４ｂが上蓋２０開放の邪魔になることなく、スムーズに上蓋２０を開放状態にすることができる。
【００２４】
なお、突起２９の形状、個数、配設の仕方等は、突起２９により上蓋２０の閉塞状態において薄葉紙押さえ部１４ｂの倒伏状態を維持できるのであれば、適宜任意に変更可能である。
また、突起２９は、上蓋２０ではなく、蓋側パッキン２１に設けられていてもよい。蓋側パッキン２１に突起２９を設ける構成は、例えば、蓋側パッキン２１に、当該蓋側パッキン２１の開口を横断する橋渡部を設けて、その橋渡部から突出する突起２９を設けること等によって実現できる。
【００２５】
また、本実施形態では、容器本体１０にケース側パッキン１４を設けて上蓋２０に蓋側パッキン２１を設けた、すなわち、ケース体Ｃと上蓋２０との双方に気密手段を設けたが、これに限ることはなく、気密手段によって取出口Ｃａの周縁と上蓋２０との隙間を封止できるのであれば、例えば、ケース体Ｃだけに気密手段を設けても良いし、上蓋２０だけに気密手段を設けても良い。上蓋２０だけに気密手段を設ける場合、ケース体Ｃは、ケース側パッキン１４を備えないので、取出開口１１が取出口Ｃａとなり、容器本体１０（或いは、シャーシ３０）に薄葉紙押さえ部１４ｂが設けられる。
【００２６】
シャーシ３０は、例えば、図４、図５に示すように、容器本体１０の凹部１３内に収容された状態で容器本体１０の上面部１０ａに固定されており、上蓋２０は、シャーシ３０を介して容器本体１０に取り付けられている。
シャーシ３０は、例えば、図９に示すように、凹部１３の底面部１３ａ上に載置され、取出開口１１を取り囲む枠部３１と、閉塞状態の上蓋２０と略面一となるよう枠部３１に支持される上壁部３２と、を備えて構成される。
本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００２７】
シャーシ３０の枠部３１（具体的には、枠部３１の連結部３１ｃ（後述））の上面には、例えば、図２、図３、図９に示すように、付勢部材５０の一端と係合する固定側係合部３３が設けられている。
また、上蓋２０の下面のうち前後方向中央よりも前側及び後側の位置には、例えば、図２、図３、図１０に示すように、付勢部材５０の他端と係合する可動側係合部２２がそれぞれ設けられている。
本実施形態において、薄葉紙収納容器１は、例えば、図９に示すように、付勢部材５０である引張コイルばねを２本備えている。また、上蓋２０は、可動側係合部２２を２つ備えているとともに、シャーシ３０の枠部３１は、固定側係合部３３を２つ備えている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０のうち一方の他端が、２つの可動側係合部２２のうちの一方に掛止されるとともに、２本の付勢部材５０のうち他方の他端が、２つの可動側係合部２２のうちの他方に掛止されている。
【００２８】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口Ｃａが開放される。
【００２９】
また、本実施形態において、可動側係合部２２は、例えば、図４、図５に示すように、固定側係合部３３よりも上側に配置されている。そのため、付勢部材５０は、ケース体Ｃの高さ方向（すなわち、上下方向）に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体Ｃに押し付ける方向）にも付勢するので、気密手段（本実施形態の場合、ケース側パッキン１４及び蓋側パッキン２１）によって取出口Ｃａの周縁と上蓋２０との隙間がしっかりと封止されることとなって、収納空間部Ｓの気密性が向上する。
【００３０】
従来、薄葉紙を収納するためのケース体の上面に、その開放端を上下方向に回動させることで開閉を行う蓋体を設けた薄葉紙収納容器として、蓋体の開放動作を行いやすくするために、蓋体を開く方向に付勢する付勢部材（エラストマー等により形成されたヒンジ、ねじりコイルばねなど）を備えたものが知られている。このような薄葉紙収納容器において、付勢部材は、蓋体を開放状態となる方向に付勢、すなわち、蓋体を閉塞状態とは反対方向に付勢しているので、気密性を持たせることが困難であった。これに対し、本実施形態では、左右方向にスライド移動することで開閉を行う蓋体（上蓋２０）を設け、可動側係合部２２を固定側係合部３３よりも上側に配置して付勢部材５０をケース体Ｃの高さ方向に対して斜めに設置することで、蓋体（上蓋２０）を開放状態となる方向だけでなく、ケース体Ｃに押し付ける方向にも付勢するように構成したので、収納空間部Ｓの気密性が向上する。これにより、薄葉紙収納容器１に収納する薄葉紙Ｐが、本実施形態のようにウェットタイプの薄葉紙Ｐである場合には、薄葉紙Ｐに含浸した薬液の蒸発を確実に防止できるようになっている。
【００３１】
付勢部材５０は、伸縮部材により構成され、シャーシ３０の固定側係合部３３が、ケース体Ｃ（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００３２】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、薄葉紙収納容器１の美観が向上するとともに、付勢部材５０、シャーシ３０の固定側係合部３３及び上蓋２０の可動側係合部２２が触られることを防止できるようになっている。
【００３３】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３４】
上蓋２０の右端部（すなわち、上壁部３２側の端部）には、例えば、図４、図５に示すように、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００３５】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３６】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、上蓋２０に設けられた爪部２３と、シャーシ３０に設けられ爪部２３と係合する爪受部３４ｃとが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３７】
ここで、例えば、図３に示すように、取出口Ｃａは、平面視にて、爪部２３及び爪受部３４ｃと左右方向（上蓋２０のスライド移動の方向）に重なるように配置されている。すなわち、取出口Ｃａは、上蓋２０のスライド移動に伴う爪部２３の移動の軌跡に重なるように配置されている。
このように、取出口Ｃａが爪部２３の移動の軌跡下に配置されている場合、ケース体Ｃに薄葉紙押さえ部１４ｂが設けられていないと、スムーズに上蓋２０を閉塞状態にすることができない。具体的には、ケース体Ｃに薄葉紙押さえ部１４ｂが設けられていないと、取出口Ｃａから突出している薄葉紙Ｐが上蓋２０よりも上方に飛び出ている状態で上蓋２０を閉める際に、当該薄葉紙Ｐが爪部２３と爪受部３４ｃとの間に挟まったり、上蓋２０と上壁部３２との間に挟まったりして、スムーズに上蓋２０を閉塞状態にすることができない。
【００３８】
これに対し、本実施形態の場合は、ケース体Ｃに薄葉紙押さえ部１４ｂが設けられており、上蓋２０を閉める際に、薄葉紙押さえ部１４ｂも閉まる（すなわち、薄葉紙押さえ部１４ｂが倒伏状態になる）ので、取出口Ｃａから突出している薄葉紙Ｐが上蓋２０よりも上方に飛び出ている状態で上蓋２０を閉めようとしても、薄葉紙押さえ部１４ｂで薄葉紙Ｐを押さえ込むことができる。したがって、取出口Ｃａから突出している薄葉紙Ｐが上蓋２０よりも上方に飛び出ている場合であっても、当該薄葉紙Ｐが爪部２３と爪受部３４ｃとの間や上蓋２０と上壁部３２との間に挟まってしまうことがなく、スムーズに上蓋２０を閉塞状態にすることができる。
【００３９】
具体的には、本実施形態の場合、上蓋２０が開放状態である際（図７（ａ）参照）に、上蓋２０を右方向へとスライド移動させると、薄葉紙押さえ部１４ｂは、まず上蓋２０の爪部２３に当接する。
さらに上蓋２０を右方向へとスライド移動させると、薄葉紙押さえ部１４ｂは、爪部２３に押されて、当該薄葉紙押さえ部１４ｂの自由端が下側へと移動するように、当該薄葉紙押さえ部１４ｂの固定端を回動軸として回動する。さらに上蓋２０を右方向へと移動させると、蓋側パッキン２１の下端部のうち右側部分が薄葉紙押さえ部１４ｂ上に乗り上げ、薄葉紙押さえ部１４ｂは、倒伏状態となる（図７（ｂ）参照）。
このように、開放状態の上蓋２０を閉塞状態となる方向へとスライド移動させると、薄葉紙押さえ部１４ｂが起立状態から倒伏状態へと変換し、取出口Ｃａから突出している薄葉紙Ｐが薄葉紙押さえ部１４ｂによって押さえ込まれるので、当該薄葉紙Ｐが爪部２３と爪受部３４ｃとの間や上蓋２０と上壁部３２との間に挟まってしまうことを抑制できる。
【００４０】
さらに上蓋２０を右方向へとスライド移動させると、突起２９が薄葉紙押さえ部１４ｂ上に乗り上げて、薄葉紙押さえ部１４ｂの自由端側が取出口Ｃａ内へと押し込まれる（図７（ｃ）参照）。これにより、薄葉紙Ｐをケース体Ｃの内側へと押し込むことができ、取出口Ｃａから突出している薄葉紙Ｐの突出量が小さくなるので、当該薄葉紙Ｐが爪部２３と爪受部３４ｃとの間や上蓋２０と上壁部３２との間に挟まってしまうことをより確実に抑制することができる。
そして、さらに上蓋２０を右方向へと移動させると、上蓋２０が閉塞状態になる（図５参照）。
【００４１】
すなわち、薄葉紙押さえ部１４ｂは、上蓋２０が閉塞状態となる方向（本実施形態の場合、右方向）に移動すると、当該上蓋２０に徐々に押圧され、自由端が下方向へと移動して倒伏状態となって、取出口Ｃａの少なくとも一部を覆い、上蓋２０が開放状態となる方向（本実施形態の場合、左方向）に移動すると、当該上蓋２０からの押圧力が徐々に解除され、自由端が上方向へと移動して起立状態となる。
【００４２】
ここで、本実施形態では、突起２９が上蓋２０の開閉の邪魔にならず、かつ、突起２９が薄葉紙押さえ部１４ｂ上に乗り上げた際に当該突起２９によって薄葉紙押さえ部１４ｂの自由端側を取出口Ｃａ内へと押し込むことができるように、突起２９の先端（下端）の上下方向の位置と蓋側パッキン２１の下端面の上下方向の位置とが略一致するように構成した。
また、本実施形態の場合、ケース側パッキン１４本体の上面に薄葉紙押さえ部１４ｂが固定されているので、突起２９は、上蓋２０が閉塞状態となる方向に移動する際に、ケース側パッキン１４本体の上面と薄葉紙押さえ部１４ｂの固定端との段差を乗り越えなければならない。よって、突起２９の材質を、当該段差を乗り越える際に撓み、当該段差を乗り越えた後は元の状態の徐々に戻って薄葉紙押さえ部１４ｂの自由端側を取出口Ｃａ内へと押し込むことができる程度の可撓性を有するものとした。
【００４３】
なお、突起２９は、当該突起２９が上蓋２０の開閉の邪魔にならず、ケース側パッキン１４本体の上面と薄葉紙押さえ部１４ｂの固定端とに段差がある場合には当該段差を乗り越えることができ、かつ、突起２９が薄葉紙押さえ部１４ｂ上に乗り上げた際に当該突起２９によって薄葉紙押さえ部１４ｂの自由端側を取出口Ｃａ内へと押し込むことができるのであれば、突起２９の突出長さ（上下方向の長さ）や突起２９の材質は適宜任意に変更可能であり、また、突起２９に圧縮コイルばねを内蔵する等して突起２９が上下方向に伸び縮みするように構成することも可能である。
また、突起２９によって、上蓋２０の閉塞状態において薄葉紙押さえ部１４ｂの倒伏状態を維持することができるのであれば、突起２９は、薄葉紙押さえ部１４ｂの自由端側を取出口Ｃａ内へと押し込むことができなくてもよい。
【００４４】
本実施形態においては、シャーシ３０の枠部３１の一部が、上蓋２０を直線的にスライド移動するようガイドするレール部３１ａになっている。具体的には、例えば、図９に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図１０に示すように、上蓋２０には、レール部３１ａに対してスライド移動可能に係合するスライド部２４が設けられている。スライド部２４は、例えば、上蓋２０とシャーシ３０とが組み合わされた状態で、レール部３１ａに設けられた横溝部に挿入可能となるように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００４５】
スライド部２４の左端部（すなわち、上蓋２０の開放状態となる方向側の端部）には、例えば、図１０に示すように、上蓋２０が開放状態となる際の衝撃を吸収するダンパー２４ａが設けられている。
また、容器本体１０の凹部１３の周縁のうち、上蓋２０の閉塞状態においてスライド部２４の左端側（ダンパー２４ａを含む）に対応する位置には、例えば、図８に示すように、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００４６】
上蓋２０には、例えば、図４、図５に示すように、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体Ｃ（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００４７】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体Ｃ（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００４８】
上蓋２０の下面には、例えば、図４、図５に示すように、先端が左側（すなわち、上蓋２０の開放状態となる方向側）を向くよう前後方向の側面視略逆Ｌ字状に突出する突片部２７が設けられている。
また、容器本体１０の凹部１３の周縁のうち、上蓋２０の閉塞状態において突片部２７の先端側（ダンパー２７ａ（後述）を含む）に対応する位置には、例えば、図８に示すように、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００４９】
突片部２７の先端部には、例えば、図４、図５に示すように、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００５０】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体Ｃ側に設けても良いし、上蓋２０側とケース体Ｃ側との双方に設けても良い。突片部２７にダンパーを設けない場合は、上蓋２０の開放状態において、突片部２７が横穴部１６内で容器本体１０に当接しないように構成されていることが好ましい。また、スライド部２４にダンパーを設けない場合は、上蓋２０の開放状態において、スライド部２４が横穴部１５内で容器本体１０に当接しないように構成されていることが好ましい。
【００５１】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００５２】
以上説明した本実施形態の薄葉紙収納容器１によれば、上面に取出口Ｃａを有し、内側に薄葉紙Ｐが積層された薄葉紙積層体Ｑを収納するケース体Ｃと、ケース体Ｃに対してスライド移動することで取出口Ｃａを開閉させる上蓋２０（蓋体）と、を備え、ケース体Ｃには、取出口Ｃａの縁部に固定される固定端と固定されない自由端とを有し、取出口Ｃａの上側から当該取出口Ｃａの少なくとも一部を覆う薄葉紙押さえ部１４ｂが設けられており、薄葉紙押さえ部１４ｂは、上蓋２０が閉塞状態となる方向に移動すると、当該上蓋２０に徐々に押圧され、自由端が下方向へと移動して倒伏状態となって、取出口Ｃａの少なくとも一部を覆い、上蓋２０が開放状態となる方向に移動すると、当該上蓋２０からの押圧力が徐々に解除され、自由端が上方向へと移動して起立状態となるように構成されている。
【００５３】
したがって、取出口Ｃａから突出している薄葉紙Ｐが上蓋２０よりも上方に飛び出ている状態で上蓋２０を閉めても、薄葉紙押さえ部１４ｂによって薄葉紙Ｐを押さえ込むことができ、当該薄葉紙Ｐが上蓋２０の開閉の邪魔になることがないので、スムーズに上蓋２０を閉塞状態にすることができる。
【００５４】
また、以上説明した本実施形態の薄葉紙収納容器１によれば、上蓋２０（蓋体）には、薄葉紙押さえ部１４ｂの倒伏状態において当該薄葉紙押さえ部１４ｂの自由端側を取出口Ｃａ内へと押し込む突起２９が設けられている。
【００５５】
したがって、突起２９に押された薄葉紙押さえ部１４ｂによって薄葉紙Ｐがケース体Ｃの内側へと押し込まれ、取出口Ｃａから突出している薄葉紙Ｐの突出量が小さくなるので、よりスムーズに上蓋２０を閉塞状態にすることができる。
なお、突起２９は、上蓋２０の閉塞状態において薄葉紙押さえ部１４ｂの倒伏状態を維持することができるのであれば、薄葉紙押さえ部１４ｂの倒伏状態において当該薄葉紙押さえ部１４ｂの自由端側を取出口Ｃａ内へと押し込むことができなくてもよい。
【００５６】
＜変形例＞
本実施形態においては、ケース側パッキン１４に薄葉紙押さえ部１４ｂを１個設け、薄葉紙押さえ部１４ｂの形状を、倒伏状態のときに取出口Ｃａのほぼ全域を覆うことができる形状としたが、取出口Ｃａの左側（上蓋２０が開放状態となる方向側）の縁部に固定される固定端と取出口Ｃａの縁部に固定されない自由端とを有し、倒伏状態の薄葉紙押さえ部１４ｂによって取出口Ｃａの少なくとも一部を覆うことができるのであれば、薄葉紙押さえ部１４ｂの形状、個数、配設の仕方等は、適宜任意に変更可能である。また、薄葉紙押さえ部１４ｂの形状、個数、配設の仕方等に応じて、突起２９の形状、個数、配設の仕方等も適宜任意に変更可能である。
具体的には、例えば、図１１に示すように、薄葉紙押さえ部１４ｂを複数個（図１１の例では２個）設けてもよいし、図１２に示すように、複数の薄葉紙押さえ部１４ｂ同士を交差させるように設けてもよい。
【００５７】
また、例えば、図１３に示すように、薄葉紙押さえ部１４ｂの延出長さ（左右方向の長さ）を、倒伏状態において薄葉紙押さえ部１４ｂの自由端が取出口Ｃａの右側（上蓋２０が閉塞状態となる方向側）の縁部を越えた位置に達するような長さとしてもよい。
この場合、上蓋２０の閉塞状態において薄葉紙押さえ部１４ｂの倒伏状態を維持する突起２９を設けなくても、上蓋２０が閉塞状態になると、薄葉紙押さえ部１４ｂの自由端が蓋側パッキン２１とケース側パッキン１４との間に挟まれて、薄葉紙押さえ部１４ｂの倒伏状態が維持されるので、突起２９を設けなくてもよい。
また、この場合、上蓋２０の閉塞状態において薄葉紙押さえ部１４ｂの倒伏状態を維持する突起２９を設けてもよく、この突起２９が、薄葉紙押さえ部１４ｂの倒伏状態において当該薄葉紙押さえ部１４ｂの自由端側を取出口Ｃａ内へと押し込むことができる場合には、上蓋２０の閉塞状態において、薄葉紙押さえ部１４ｂの自由端は、当該自由端側が取出口Ｃａ内へと押し込まれた状態で蓋側パッキン２１とケース側パッキン１４との間に挟まれてもよいし、挟まれなくてもよい。
【００５８】
また、薄葉紙押さえ部１４ｂは、例えば、図１４（ａ）に示すように、取出口Ｃａの左側（上蓋２０が開放状態となる方向側）の縁部から延出し、固定端を有する第１押さえ部１４ｂ１（第１延出部）と、第１押さえ部１４ｂ１の固定端とは反対側の端部から、当該第１押さえ部１４ｂ１の延出方向よりもケース体Ｃの内側に向けて延出する第２押さえ部１４ｂ２（第２延出部）と、を備えるものであってもよい。
この場合、図１４（ｂ）に示すように、蓋側パッキン２１が薄葉紙押さえ部１４ｂ上に乗り上げて倒伏状態となった場合に、第２押さえ部１４ｂ２によって、薄葉紙Ｐをケース体Ｃの内側へと押し込むことができる。また、図１４（ｃ）に示すように、突起２９が薄葉紙押さえ部１４ｂ上に乗り上げて、薄葉紙押さえ部１４ｂの自由端側が取出口Ｃａ内へと押し込まれた場合には、第２押さえ部１４ｂ２によって、薄葉紙Ｐをケース体Ｃの内側へとさらに押し込むことができる。よって、当該薄葉紙Ｐが爪部２３と爪受部３４ｃとの間や上蓋２０と上壁部３２との間に挟まってしまうことをより確実に抑制することができる。
図１４に示す例では、第２押さえ部１４ｂ２の形状を、略半円状としたが、第２押さえ部１４ｂ２の形状は適宜任意に変更可能である。
また、図１４に示す例では、第１押さえ部１４ｂ１と第２押さえ部１４ｂ２とのなす角度を９０°としたが、第１押さえ部１４ｂ１と第２押さえ部１４ｂ２とのなす角度は、鋭角であってもよいし、鈍角であってもよい。
【００５９】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００６０】
１  薄葉紙収納容器
１０  容器本体（ケース体）
１４  ケース側パッキン（ケース体）
１４ｂ  薄葉紙押さえ部
１４ｂ１  第１押さえ部（第１延出部）
１４ｂ２  第２押さえ部（第２延出部）
２０  上蓋（蓋体）
２９  突起
３０  シャーシ（ケース体）
Ｃ  ケース体
Ｃａ  取出口
Ｐ  薄葉紙
Ｑ  薄葉紙積層体
【図１】
2014189317.tif 000003
【図２】
2014189317.tif 000004
【図３】
2014189317.tif 000005
【図４】
2014189317.tif 000006
【図５】
2014189317.tif 000007
【図６】
2014189317.tif 000008
【図７】
2014189317.tif 000009
【図８】
2014189317.tif 000010
【図９】
2014189317.tif 000011
【図１０】
2014189317.tif 000012
【図１１】
2014189317.tif 000013
【図１２】
2014189317.tif 000014
【図１３】
2014189317.tif 000015
【図１４】
2014189317.tif 000016